Podtech/llm-jp-corpus-v4-ja_patent huggingface dataset:
(57)【要約】      （修正有）【課題】循環水管の配置を阻害するサポートが不要で、循環水管の長さを短くすることができる熱交換器を提供する。【解決手段】復水部１と、前記復水部１側面に設けられた水室２と、前記水室２とは反対側の復水部１側面に設けられた中間水室３と、前記水室２を入口水室２１と出口水室２２とに仕切る仕切り板４と、前記入口水室２１の下側に接続された循環水流入管５と、前記出口水室２２の下側に接続された循環水流出管６と、前記入口水室２１と前記出口水室２２とを前記中間水室３を介して接続する入口管束１１および出口管束１２とを備る。【選択図】図１
2013076489.tif 000002
【特許請求の範囲】
【請求項１】
復水部と、
前記復水部側面に設けられた水室と、
前記水室とは反対側の復水部側面に設けられた中間水室と、
前記水室を入口水室と出口水室とに仕切る仕切り板と、
前記入口水室の下側に接続された循環水流入管と、
前記出口水室の下側に接続された循環水流出管と、
前記入口水室と前記出口水室とを前記中間水室を介して接続する入口管束および出口管束と、
を備えた熱交換器。
【請求項２】
前記仕切り板は、水平部が水室の復水部側を上下に仕切り、垂直部が水室の下側を復水部側と外側とに仕切るＲ形状仕切り板である請求項１記載の熱交換器。
【請求項３】
前記仕切り板は、前記水室を右側と左側に仕切る垂直仕切り板である請求項１記載の熱交換器。 
【発明の詳細な説明】
【技術分野】
【０００１】
本発明の実施形態は、熱交換器に関する。
【背景技術】
【０００２】
熱交換器には水平仕切り板で上下に分割されて入口水室及び出口水室が形成された水室が設けられている。入口水室には循環水流入管が接続され、出口水室には循環水流出管が接続されている。水室の反対側には中間水室が設けられている。
【０００３】
運転状態では、循環水が循環水流入管から入口水室に入り、入口水室から復水部の入口管束に入り、中間水室を経由して復水部の出口管束に入り、復水部の出口管束から出口水室に入り、出口水室から循環水流出管に出てくる。
【先行技術文献】
【特許文献】
【０００４】
【特許文献１】実開平６−６５７８６号公報
【発明の概要】
【発明が解決しようとする課題】
【０００５】
上述した熱交換器では、循環水流入管が循環水流出管よりも上部を流れる場合、水質に接続される循環水流出管は水室に垂直に接続する構造とすることができるが、水質に接続される循環水流入管は水室に水平に接続する構造となる。
【０００６】
循環水流入管を水室に接続するためには、循環水流入管が循環水流出管よりも上部を流れる場合は、循環水流入管が長くなる。循環水流入管のサポートも必要となり、床面から循環水流入管を避けてヤグラ型のサポートを組み上げる構造となる。
【０００７】
サポートは循環水管の配置を阻害すると共に、コスト的にも多大な費用がかかる。
【０００８】
本発明が解決しようとする課題は、循環水管の配置を阻害するサポートが不要で、循環水管の長さを短くすることができる熱交換器を提供することである。
【課題を解決するための手段】
【０００９】
実施形態の熱交換器は、復水部と、前記復水部側面に設けられた水室と、前記水室とは反対側の復水部側面に設けられた中間水室と、前記水室を入口水室と出口水室とに仕切る仕切り板と、前記入口水室の下側に接続された循環水流入管と、前記出口水室の下側に接続された循環水流出管と、前記入口水室と前記出口水室とを前記中間水室を介して接続する入口管束および出口管束とを備える。
【図面の簡単な説明】
【００１０】
【図１】第１の実施形態の熱交換器を示す図。
【図２】第２の実施形態の熱交換器を示す図。
【発明を実施するための形態】
【００１１】
以下、本発明の実施形態の熱交換器を図面を参照して説明する。
【００１２】
（第１の実施形態）
図１は第１の実施形態の熱交換器を示す図である。熱交換器は、復水部１、復水部１側面に設けられた水室２、水室２とは反対側の復水部１側面に設けられた中間水室３からなる。
【００１３】
復水部１は、水室２と中間水室３とを連結する入口管束１１および出口管束１２を備える。
【００１４】
入口管束１１には、水室２から中間水室３への循環水が流れ、出口管束１２には、中間水室３から水室２への循環水が流れる。
【００１５】
水室２は、Ｒ形状仕切り板４によって入口水室２１と出口水室２２に仕切られている。
【００１６】
Ｒ形状仕切り板４は、水平部が水室２の復水部１側を上下に仕切り、垂直部が水室２の下側を復水部１側と外側とに仕切る。
【００１７】
循環水流入管５は、入口水室２１の下側に接続されている。
【００１８】
循環水流出管６は、出口水室２２の下側に接続されている。
【００１９】
運転状態では、循環水が循環水流入管５から入口水室２１に入り、入口水室２１から復水部１の入口管束１１に入り、中間水室３を経由して復水部１の出口管束１２に入り、復水部１の出口管束１２から出口水室２２に入り、出口水室２２から循環水流出管６に出てくる。
【００２０】
Ｒ形状仕切り板４は、水平部と垂直部との接合部をＲ形状にすることで、循環水の流れがスムーズになる。
【００２１】
本実施形態によれば、循環水管の配置を阻害するサポートが不要で、循環水管の長さを短くすることができる。
【００２２】
（第２の実施形態）
図２は第２の実施形態の熱交換器を示す図である。（ａ）は熱交換器を示す図であり、（ｂ）は（ａ）を右側から見た図であり、（ｃ）は（ａ）のＡ−Ａ矢視断面図である。第１の実施の形態と同じ構成は同一符号として説明を省略する。
【００２３】
水室２は、垂直仕切り板７によって入口水室２１と出口水室２２に仕切られている。
【００２４】
垂直仕切り板７は、水室２を右側と左側に仕切る。図２では、左側が入口水室２１、右側が出口水室２２となっている。
【００２５】
垂直仕切り板７は、水室２を右側と左側に仕切る構造であれば垂直でなくてもよい。
【００２６】
本実施形態によれば、循環水管の配置を阻害するサポートが不要で、循環水管の長さを短くすることができる。
【００２７】
以上述べた少なくともひとつの実施形態の熱交換器によれば、循環水管の配置を阻害するサポートが不要で、循環水管の長さを短くすることができる。
【００２８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２９】
１    復水部
２    水室
３    中間水室
４    Ｒ形状仕切り板
５    循環水流入管
６    循環水流出管
７    垂直仕切り板
１１  入口管束
１２  出口管束
２１  入口水室
２２  出口水室
【図１】
2013076489.tif 000003
【図２】
2013076489.tif 000004
(57)【要約】      （修正有）【課題】ローブ個数を増加させないで製造コスト上昇を阻止するとともに、カム搖動を認識して作動信頼度を向上させることができる自動車用カムターゲットホイールを提供する。【解決手段】本発明は、自動車用カムターゲットホイール１に係り、カムシャフト１０と、カムシャフト１０の外周面に形成され、カム揺動波形の谷と山を認識することができるローブ２０とを含むことを特徴とする。ここに、ローブ２０の個数を増加させないので、製造コストの上昇を阻止することができるだけでなく、カム搖動を認識することができるので、作動信頼度を向上させることができる。【選択図】図３
2013076394.tif 000002
【特許請求の範囲】
【請求項１】
カムシャフトと、
カムシャフトの外周面に形成され、カム揺動波形の谷と山を認識することができるローブと、
を含むことを特徴とする自動車用カムターゲットホイール。
【請求項２】
前記ローブは、前記カムシャフトの外周面に連続的に突出形成され、その角度は１２５°（１８０°−５５°）〜１４５°（１８０°−３５°）であることを特徴とする請求項１に記載の自動車用カムターゲットホイール。
【請求項３】
前記ローブは、前記カムシャフトの外周面に連続的に突出形成され、その角度は２１５°（１８０°＋３５°）〜２３５°（１８０°＋５５°）であることを特徴とする請求項１に記載の自動車用カムターゲットホイール。
【発明の詳細な説明】
【技術分野】
【０００１】
本発明は、自動車用カムターゲットホイールに係り、より詳しくは、カムシャフトの搖動を認識することができ作動性を向上できる自動車用カムターゲットホイールに関する。
【背景技術】
【０００２】
一般に、連続可変バルブタイミング（ＣＶＶＴ、Ｃｏｎｔｉｎｕｏｕｓｌｙ  Ｖａｒｉａｂｌｅ  Ｖａｌｖｅ  Ｔｉｍｉｎｇ）が適用されたエンジンには、カムの位相を認識するためのカムターゲットホイールが設けられる。
従来の自動車用カムターゲットホイール１０１は、図１に示したように、カムシャフト１１０と、カムシャフト１１０の外周面に所定角度（θ’）で突出形成されたローブ１２０とから構成される。このとき、ローブ１２０の角度（θ’）は１８０°である。
【０００３】
このような半月状のローブ１２０を有する従来のカムターゲットホイール１０１は、１８０°間隔（クランク基準３６０°）の方形波信号で位相を計算することになり、各気筒の爆発によるトルク変動及びカムシャフト１１０のトルク変動が気筒ごとに発生し、このようなトルク変動はカムを気筒毎の単位（１８０°）で周期的に搖動させる。
特に、油圧制御されるＣＶＶＴが適用された仕様では、カムシャフト１１０の搖動が普通１８０°間隔で周期的に発生し、従来の半月状のカムターゲットホイール１０１はクランク基準に３６０°の等間隔でカムシャフト１１０の位相を認識するため、カムの搖動を認識することができない問題点がある。
【０００４】
即ち、図２に示したように、等しい運転条件で場合１と場合２において、ＥＣＵではカムターゲットホイールセンサー信号を基準にカムシャフト１１０が等しく制御されるものと認識しているが、実際に場合１対比場合２ではカム搖動が過多に発生するものの、半月状の形状特性によりＥＣＵではカム搖動を認識することができない問題がある。特に、カムが過多に搖動する場合、バルブの開閉時点が変化するので、エンジンの出力が低下する問題点がある。
このような問題点を解決するため、カムシャフト１１０の外周面にローブ１２０を複数個形成し、カム搖動の認識能力を向上させることもできるはずであるが、このようにローブ１２０を複数個形成すれば、ロジック開発及び工場ラインの変更などの大幅な変動が必要になり、製造コストが上昇する問題点があった。
【先行技術文献】
【特許文献】
【０００５】
【特許文献１】特表２００９−５３３５９２号公報
【発明の概要】
【発明が解決しようとする課題】
【０００６】
本発明の目的とするところは、ローブ個数を増加させないで製造コスト上昇を阻止するとともに、カム搖動を認識して作動信頼度を向上させることができる自動車用カムターゲットホイールを提供することにある。
【課題を解決するための手段】
【０００７】
本発明は、カムシャフトと、カムシャフトの外周面に形成され、カム搖動波形の谷と山を認識することができるローブとにより達成されることを特徴とする。
【０００８】
前記ローブは前記カムシャフトの外周面に連続的に突出形成され、その角度は１２５°（１８０°−５５°）〜１４５°（１８０°−３５°）であることを特徴とする。
【０００９】
前記ローブは前記カムシャフトの外周面に連続的に突出形成され、その角度は２１５°（１８０°＋３５°）〜２３５°（１８０°＋５５°）であることを特徴とする。
【発明の効果】
【００１０】
本発明によれば、ローブの個数を増加させないので製造コストの上昇を阻止することができるだけでなく、カム搖動を認識することができるので作動信頼度を向上させることができる自動車用カムターゲットホイールが提供できる。
【図面の簡単な説明】
【００１１】
【図１】従来の自動車用カムターゲットホイールの断面図である。
【図２】従来の自動車用カムターゲットホイールの問題点を説明するためのグラフである。
【図３】本発明に係る自動車用カムターゲットホイールの断面図である。
【図４】本発明に係る自動車用カムターゲットホイールによる出力状態を示したグラフである。
【発明を実施するための形態】
【００１２】
以下、図を参照して、本発明について詳しく説明する。
図３は本発明に係る自動車用カムターゲットホイールの断面図であり、図４は本発明に係る自動車用カムターゲットホイールによる出力状態を示したグラフである。
本発明に係る自動車用カムターゲットホイール１は、図３及び図４に示したように、カムシャフト１０と、カムシャフト１０の外周面に形成されカム揺動波形の谷と山を認識することができるローブ２０とで構成される。
【００１３】
このとき、ローブ２０はカムシャフト１０の外周面に連続的に突出形成され、その角度（θ）は１２５°（１８０°−５５°）〜１４５°（１８０°−３５°）である。特に、本実施例ではローブ２０の角度（θ）を１３５°（１８０°−４５°）にしており、このようなカムターゲットホイール１を適用してカム搖動を試した結果、図４に示したようにカム揺動波形の山と谷が正確に認識できるため、カム搖動が出力正常のときと同一水準に制御され、作動信頼度が向上する。
【００１４】
さらに、本発明に係るカムターゲットホイール１の場合は、カム搖動を認識するためローブ２０を複数個に構成せず一個にしているため、ロジックを変更したり工場の設備を変更する必要がないので、製造コストが上昇するのを阻止することができる利点がある。
前述の実施例におけるカムターゲットホイールでは、ローブの角度を１２５°（１８０°−５５°）〜１４５°（１８０°−３５°）に構成したが、２１５°（１８０°＋３５°）〜２３５°（１８０°＋５５°）にできることは勿論である。
【符号の説明】
【００１５】
１：カムターゲットホイール
１０：カムシャフト
２０：ローブ
【図１】
2013076394.tif 000003
【図２】
2013076394.tif 000004
【図３】
2013076394.tif 000005
【図４】
2013076394.tif 000006
(57)【要約】      （修正有）【課題】太陽から地球に降り注ぐ光エネルギーと空気や水等の気体熱膨張力を活用するエンジンシステムを提供する。【解決手段】追尾集光させた太陽光線をエンジン内部まで直接導き、素粒子熱エネルギーを耐熱金属に吸熱させ熱電子を発生させる。その高温の領域に外部から吸入した空気やヘリウムガス等の気体分子を噴射し、一瞬で爆発的な熱膨張力を発生させて、ピストンに強力な圧力を与え回転運動力を発動するエンジンシステムとする。【選択図】図１
2013076393.tif 000002
【特許請求の範囲】
【請求項１】
本特許の太陽光エンジンハイブリッド型システムについては、太陽光エネルギーを集光させることによって、高温領域を作り出し、エンジン内部へ導き、空気膨張力を発生させることを活用して通常は、ピストン運動を起こさせ、動力源を生み出す事が出来る。その過程に於いて圧力を高める為にヘリウムガス等を加える事も出来る。尚、悪天候や夜間は従来のガスバーナー等を活用して同じ動力源を生み出す事の出来る太陽光エンジンハイブリッド型である。
【請求項２】
本特許の太陽光エンジンハイブリッド型は、追尾された▲２▼太陽光線を▲１▼集光レンズにより、エンジン内部に導き高温領域を作り出し、底部の▲６▼超高温耐熱合金に吸熱し、熱電子を発生させる、その過程に於いて圧力を高める為に▲７▼ノズルからヘリウムガス等を加える事も出来るが、通常は▲９▼シリンダー内の空気に熱エネルギーを吸収させて、▲８▼熱膨張発生室で高温を発生させる事により、強力な圧力をピストンに与え、▲１２▼クランクシャフト回転運動を発動させて動力源を生み出す事が出来る。尚悪天候や夜間は従来の▲３▼ガスバーナー等を活用して同じ動力源を生み出す事が出来る太陽光エンジンハイブリッド型である。
【発明の詳細な説明】
【技術分野】
【０００１】本特許の太陽光エンジンハイブリッド型システムについては、太陽光エネルギーを集光してエンジン内部に高温領域を作り出し、空気膨張力を活用してピストン運動を起こさせ、動力源を生み出す事が出来るシステムとなっている。
【背景技術】
【０００２】現在までは化石燃料を使用した、内燃エンジンと外燃エンジンとしてスターリングエンジンがある。太陽光を効率よく集光する技術はすでに完成されている。太陽光エンジンハイブリッド型は、追尾集光された太陽光線を更にエンジン内部に導き、高温領域を作り出し、熱電子を発生させてエンジン内部の空気やヘリウムガス等を一瞬に熱膨張させて強力な圧力をピストンに与え、回転運動を起こし、動力源を生み出す事の出来るシステムとなっている。
【発明の開示】
【０００３】従来の化石燃料に依存した科学技術では、人類社会の未来発展に希望が持てない。地球環境を守り、公害のない新しい産業を創造する為には必要とするエネルギー問題を解決する事が最も大切なことである。太陽光エンジンハイブリッド型は、無限の太陽光エネルギーを活用した無公害の動力源を生み出す為にエンジンシステムを開示する。
【発明の効果】
【０００４】本特許の太陽光エンジンハイブリッド型は無限の太陽光エネルギーを活用する事によって、公害の無い新しい産業を構築させ、現在直面している環境問題や経済問題等を解決して、地球と人類社会に明るい未来を創造する事が出来るので発明の効果は無限大である。
【発明を実施するための最良の形態】
【０００５】本特許の太陽光エンジンハイブリッド型を実施する為には、従来の産業を圧迫せず、安全、安心の管理体制システムを完成させ、全ての国々に混乱を起こさせない進め方を確立して、有限の科学から無限の科学へ移行しつつ、新しい産業を構築させる事が最も大切であると考える。
【実施例】
【０００６】現在までは化石燃料を使用した内燃エンジンと外燃エンジンとしてスターリングエンジンがある。太陽光エネルギーを集光させて直接エンジン内部に導き、空気やヘリウムガス等の熱膨張力を活用して、ピストン運動を起こし動力源を生み出すシステムの実施例は無い。
【産業上の利用可能性】
【０００７】本特許の太陽光エンジンハイブリッド型は地球に降り注ぐ太陽光と空気やヘリウムガス等の気体熱膨張力が動力源となるエンジンシステムなので太陽と地球を繋ぐ光と時間と空間が最も必要な資源の領域であるが故に人類社会の発展の為に発電や動力源として産業上の利用可能性は無限大である。
【図面の簡単な説明】
【０００８】
【図１】本特許の太陽光エンジンハイブリッド型は、太陽光を追尾集光させて、エンジン内部に直接光エネルギーを導き、高温の熱電子を発生させる。その高温領域に空気やヘリウムガス等の気体分子を噴射し熱膨張力を活用してピストン運動を発動させ、動力源を生み出す為の基本的な合成中心断面図である。
【符号の説明】
【０００９】１．  集光レンズ                  １１．ピストン受台
２．  太陽光線                    １２．クランクシャフト
３．  ガスバーナー位置
４．  炭素蓄熱材
５．  エアホール
６．  超高温耐熱合金
７．  ノズル（吸入口）
８．  熱膨張発生室
９．  シリンダー（石英ガラス）
１０．ピストン（石英ガラス）
【図１】
2013076393.tif 000003
(57)【要約】【課題】軒樋に容易に設置可能であり、軒樋への落ち葉やごみの流入を防ぐ落ち葉除け部材を提供する。【解決手段】樹脂シートにより構成される落ち葉除け部材２であって、幅方向に伸張させた場合に開口を形成する複数の切込み４を有する。【選択図】図１
2013076228.tif 000002
【特許請求の範囲】
【請求項１】
樹脂シートにより構成される落ち葉除け部材であって、
幅方向に伸張させた場合に開口を形成する複数の切込みを有することを特徴とする落ち葉除け部材。
【請求項２】
前記切込みは、長手方向に互い違いに形成されていることを特徴とする請求項１記載の落ち葉除け部材。
【請求項３】
前記樹脂シートは、ポリエチレンテレフタレートの超延伸シートであることを特徴とする請求項１または２記載の落ち葉除け部材。
【発明の詳細な説明】
【技術分野】
【０００１】
本発明は、軒樋に用いられる落ち葉除け部材に関するものである。
【背景技術】
【０００２】
近年省資源で大量の雨水を排水可能なシステムへの要望が高まっている。特に雨樋においては径の細い竪樋を用い、いわゆるサイホンの原理を利用して排水を行なうサイホン式高排水システムが提案されている。この高排水システムにおいては、落ち葉をはじめとするごみの竪樋への流入により管詰まりが生じる危険性が高いため落ち葉除け部材は必須である。
【０００３】
従来の落ち葉除け部材には、軒樋の開口部を落ち葉除けネットで覆い軒樋に落ち葉が侵入するのを防止するものが存在する（特許文献１参照）。
【先行技術文献】
【特許文献】
【０００４】
【特許文献１】特開２０００−８７５１９号公報
【発明の概要】
【発明が解決しようとする課題】
【０００５】
しかし上述の落ち葉除けネットは、定尺で製造されていることから施工時に落ち葉除けネットを丸めて軒樋内に設置したり、落ち葉除けネットの端部を切断して軒樋の幅に合わせて軒樋上に設置する必要があり、施工に時間と手間がかかり高コストになっていた。
【０００６】
本発明の目的は、軒樋に容易に設置可能であり、軒樋への落ち葉やごみの流入を防ぐ落ち葉除け部材を提供することである。
【課題を解決するための手段】
【０００７】
本発明の落ち葉除け部材は、樹脂シートにより構成される落ち葉除け部材であって、幅方向に伸張させた場合に開口を形成する複数の切込みを有することを特徴とする。
【０００８】
また、本発明の落ち葉除け部材は、前記切込みが、長手方向に互い違いに形成されていることを特徴とする。
【０００９】
また、本発明の落ち葉除け部材は、前記樹脂シートが、ポリエチレンテレフタレートの超延伸シートであることを特徴とする。
【発明の効果】
【００１０】
本発明によれば、軒樋に容易に設置可能であり、軒樋への落ち葉やごみの流入を防ぐ落ち葉除け部材を提供することができる。
【図面の簡単な説明】
【００１１】
【図１】実施の形態に係る落ち葉除け部材を示す図である。
【図２】実施の形態に係る落ち葉除け部材を幅方向に伸張させた状態を示す図である。
【図３】実施の形態に係る落ち葉除け部材を軒樋に取付けた状態を側面から視た一部断面図である。
【発明を実施するための形態】
【００１２】
以下、図面を参照して、本発明の実施の形態に係る落ち葉除け部材について説明する。図１は実施の形態に係る落ち葉除け部材２を示す図である。落ち葉除け部材２は、一方向に長い形状の樹脂シート３により構成され、樹脂シート３に互い違いに配列された切込み４を複数有している。ここで、落ち葉除け部材２を構成する樹脂シート３は、ポリエチレンテレフタレート（polyethylene terephthalate：ＰＥＴ）の超延伸シートにより形成されている。
【００１３】
図２は実施の形態に係る落ち葉除け部材２を幅方向に伸張させた状態を示す図である。図２に示すように、落ち葉除け部材２を幅方向に伸張すると、切込み４が幅方向に開き、樹脂シート３に複数の開口部６が形成される。
【００１４】
図３は実施の形態に係る落ち葉除け部材２を軒樋８に取付けた状態を側面から視た一部断面図である。軒樋８は、底壁１０と、底壁１０の前端に立設された前側壁１２と、底壁１０の後端に立設された後側壁１４とを有し、上方に拡開した略Ｕ字状の断面形状を有している。
【００１５】
また、軒樋８は、前側壁１２の上端部及び後側壁１４の上端部を吊具１６に係止することにより、吊具１６を介して屋根の軒先に取付けられる。また、吊具１６は、落ち葉除け部材２を係止する係止部２２を上部に備えており、落ち葉除け部材２は、開口部６を係止部２２に係止することにより軒樋８に取付けられる。
【００１６】
この実施の形態に係る落ち葉除け部材２によれば、落ち葉除け部材２の開口部６を吊具１６の係止部２２に係止することにより、容易に軒樋８に取付けることができ、取付け後には軒樋８の開口部が落ち葉除け部材２によって覆われるため、落ち葉除け部材２によって軒樋８への落ち葉やごみの侵入を防止することができる。従って、落ち葉やごみが軒樋８と接続された軒樋集水器３０を介して竪樋へ流れ込むのを防止することができ、特に径の細い竪樋を用いて排水するサイホンの原理を利用したサイホン式高排水システムにおいて有効に高排水性を維持することができる。また、落ち葉除け部材２は、軒樋８の施工時に軒樋８に取付けることができ、更には軒樋８の施工後に軒樋８に取付けることもできる。
【００１７】
また、落ち葉除け部材２は、落ち葉除け部材２の幅よりも軒樋８の幅の方が広い場合においても、幅方向に落ち葉除け部材２を伸張させることにより、容易に軒樋８の幅に落ち葉除け部材２の幅を合わせることができる。
【００１８】
また、落ち葉除け部材２を形成する樹脂シート３は、軽量な部材であるため、施工時における作業員の負担を少なくすることができる。
【００１９】
また、落ち葉除け部材２を形成する樹脂シート３は加工が容易なため、例えば、軒樋８の幅よりも落ち葉除け部材の幅２の方が広い場合、落ち葉除け部材２を刃物で長手方向に切断することにより、容易に軒樋８の幅に落ち葉除け部材２の幅を合わせることができる。
【００２０】
なお、上述の実施の形態において、落ち葉除け部材２を結束バンドにより軒樋８または吊具１６に固定するようにしてもよい。これにより、落ち葉除け部材２を係止する部材がない場合においても軒樋８に落ち葉除け部材２を取付けることができる。
【００２１】
また、上述の実施の形態において、樹脂シート３はポリエチレンテレフタレートの超延伸シートに限られず、他の材質の樹脂シートであってもよい。
【符号の説明】
【００２２】
２…落ち葉除け部材、４…切込み、６…開口部、８…軒樋、１６…吊具、２２…係止部
【図１】
2013076228.tif 000003
【図２】
2013076228.tif 000004
【図３】
2013076228.tif 000005
(57)【要約】【課題】軒樋への落ち葉やごみの流入を防ぐと共に、落ち葉が貼りついた場合にも雨水の軒樋への流入を確保することができる落ち葉除け部材を提供する。【解決手段】長手方向に延びる山部２０と谷部２１が交互に複数設けられた樹脂シートにより構成される落ち葉除け部材２であって、前記谷部に複数の開口２２が設けられている。【選択図】図１
2013076229.tif 000002
【特許請求の範囲】
【請求項１】
長手方向に延びる山部と谷部が交互に複数設けられた樹脂シートにより構成される落ち葉除け部材であって、
前記谷部に複数の開口が設けられていることを特徴とする落ち葉除け部材。
【請求項２】
前記山部及び前記谷部は、円弧または三角形の断面形状を有することを特徴とする請求項１記載の落ち葉除け部材。
【請求項３】
前記樹脂シートは、ポリエチレンテレフタレートの超延伸シートであることを特徴とする請求項１または２記載の落ち葉除け部材。
【発明の詳細な説明】
【技術分野】
【０００１】
本発明は、軒樋に用いられる落ち葉除け部材に関するものである。
【背景技術】
【０００２】
近年省資源で大量の雨水を排水可能なシステムへの要望が高まっている。特に雨樋においては径の細い竪樋を用い、いわゆるサイホンの原理を利用して排水を行なうサイホン式高排水システムが提案されている。この高排水システムにおいては、落ち葉をはじめとするごみの竪樋への流入により管詰まりが生じる危険性が高いため落ち葉除け部材は必須である。
【０００３】
従来の落ち葉除け部材には、軒樋の開口部を落ち葉除けネットで覆い軒樋に落ち葉が侵入するのを防止するものが存在する（特許文献１参照）。
【先行技術文献】
【特許文献】
【０００４】
【特許文献１】特開２０００−８７５１９号公報
【発明の概要】
【発明が解決しようとする課題】
【０００５】
しかし上述の落ち葉除けネットを軒樋に設置した場合には、軒樋への落ち葉やごみの流入を防ぐことはできるが、落ち葉除けネットに落ち葉が貼り付き雨水の軒樋への流入を阻害する場合があった。
【０００６】
本発明の目的は、軒樋への落ち葉やごみの流入を防ぐと共に、落ち葉が貼りついた場合にも雨水の軒樋への流入を確保することができる落ち葉除け部材を提供することである。
【課題を解決するための手段】
【０００７】
本発明の落ち葉除け部材は、長手方向に延びる山部と谷部が交互に複数設けられた樹脂シートにより構成される落ち葉除け部材であって、前記谷部に複数の開口が設けられていることを特徴とする。
【０００８】
また本発明の落ち葉除け部材は、前記山部及び前記谷部が、円弧または三角形の断面形状を有することを特徴とする。
【０００９】
また本発明の落ち葉除け部材は、前記樹脂シートがポリエチレンテレフタレートの超延伸シートであることを特徴とする。
【発明の効果】
【００１０】
本発明によれば、軒樋への落ち葉やごみの流入を防ぐと共に、落ち葉が貼りついた場合にも雨水の軒樋への流入を確保することができる。
【図面の簡単な説明】
【００１１】
【図１】実施の形態に係る落ち葉除け部材の斜視図である。
【図２】実施の形態に係る落ち葉除け部材を軒樋に設置した状態を示す一部断面図である。
【図３】実施の形態に係る他の落ち葉除け部材の斜視図である。
【発明を実施するための形態】
【００１２】
以下、図面を参照して、本発明の実施の形態に係る落ち葉除け部材について説明する。図１は実施の形態に係る樹脂シートにより構成される落ち葉除け部材２の斜視図である。落ち葉除け部材２は、ポリエチレンテレフタレート（polyethylene terephthalate：PET）の超延伸シートにより構成されており、長手方向に延びる断面円弧形状の山部２０と谷部２１が交互に複数設けられている。落ち葉除け部材２の谷部２１には雨水を軒樋４（図２参照）内に流入させるための複数の楕円形状の開口２２が形成されている。ここで落ち葉除け部材２の排水性を確保するために、開口２２の大きさは山部２０と山部２０との間隔を超えない範囲で大きいほうが好ましく、開口２２の数は可能な限り多いことが好ましい。
【００１３】
落ち葉除け部材２を軒樋４に設置する場合には、図２に示すように軒樋４上に落ち葉除け部材２を載置して、図示しない結束バンド等により軒樋４または軒樋の支持具として用いられる樹脂製の吊具６に固定する。
【００１４】
この落ち葉除け部材２を軒樋４上に設置した場合には、軒樋４への落ち葉やごみの流入を防ぐと共に、落ち葉が落ち葉除け部材２に貼りついた場合でも谷部２１に形成されている開口を塞ぐことがないため、雨水の軒樋４への流入を確保することができる。
【００１５】
また、落ち葉は落ち葉除け部材２により捕捉され軒樋4及び竪樋に流れ込むのを防止することができるため、特に径の細い竪樋を用いて排水する、サイホンの原理を利用したサイホン式高排水システムに有効に用いられる。また従来の軒樋４の施工と同時に施工でき、更には追加設定も可能である。
【００１６】
なお、上述の実施の形態の落ち葉除け部材２には、長手方向に延びる断面円弧形状の山部と谷部が交互に複数設けられているが、長手方向に延びる断面三角形状の山部と谷部を交互に複数設けるようにしても良い。
【００１７】
また、上述の実施の形態の落ち葉除け部材２には、楕円形状の開口２２を設けているが、図３に示すように矩形状の開口２３を設けても良い。
【００１８】
また落ち葉除け部材２は、ポリエチレンテレフタレートの超延伸シートにより構成されているため、落ち葉除け部材２の幅が軒樋４の幅よりも大きい場合には、刃物で容易に切断することができるため、落ち葉除け部材２の幅を軒樋４の幅に合致させて設置することができる。
【００１９】
また樹脂シートは、ポリエチレンテレフタレートの超延伸シートに限られず、他の材質の樹脂シートであっても良い。
【符号の説明】
【００２０】
２…落ち葉除け部材、４…軒樋、６…吊具、２０…山部、２１…谷部、２２，２３…開口
【図１】
2013076229.tif 000003
【図２】
2013076229.tif 000004
【図３】
2013076229.tif 000005
(57)【要約】      （修正有）【課題】就寝前の暗闇でも暗記学習可能な学習用具を提供する。【解決手段】問題シート１に、暗記すべき項目が記載された暗闇で光る塗料で記載された暗記カード３を貼り、回答シート２に、回答が記載された暗闇で光る塗料で記載された暗記カード３を貼り付ける事で、就寝前の暗闇でも、暗記学習を行うことが可能となる。また、暗闇で光る塗料で記載された暗記カード３の裏面には磁石が付いており、磁石に付くシート表面５で容易に取り外しが可能となっているため、暗記すべき項目を容易に追加や交換、取り外しができる。【選択図】図１
2013228496.tif 000002
【特許請求の範囲】
【請求項１】
暗闇でも判読可能な文字で記載されている学習道具。
【請求項２】
請求項１の学習用具において、睡眠前の暗記学習を主とした学習用具。
【発明の詳細な説明】
【技術分野】
【０００１】
この発明は、暗記学習に効果的な就寝前の学習において、就寝直前の暗闇でも学習可能な暗記学習用具である。
【背景技術】
【０００２】
暗記学習は、寝る前に行うと効果的と言われている。
灯りを消して、眠りに付く前の時間で復唱を行えば、記憶の定着が期待できるが、復唱する際に暗記すべき事柄を忘れた場合や、暗記すべき事柄についての不明点を調べる場合、起きて灯りを点ける必要があった。
【発明の概要】
【発明が解決しようとする課題】
【０００３】
従来は、寝る直前の暗闇において、暗記すべき事柄を忘れたり、不明点などを確認する際には、灯りを点けた状態でないと確認を行うことが出来なかった。
【課題を解決するための手段】
【０００４】
１ 問題シートに、暗記すべき事柄を暗闇で光る素材で記載し、２ 回答シートに暗記すべき事柄についての回答又は説明文を、同じく暗闇で光る素材で記載する。
【０００５】
１ 問題シート及び２ 回答シートは、就寝前に目が届く範囲に貼る。
【０００６】
就寝時の灯りを消した状態で１ 問題シートの記載事項を復唱し、記載事項が不明な場合は、２ 回答シートを確認する。
【発明の効果】
【０００７】
暗記学習を就寝直前まで行うことが可能になった。
【０００８】
就寝前の復唱で復唱可能な事柄が増えた。
【０００９】
就寝前の灯りを消した状態でも、復唱する事柄に関する不明点を寝た状態で確認することが可能となった。
【図面の簡単な説明】
【００１０】
【図１】本発明の構造を簡単に説明した概要図である。
【図２】本発明の使用状態を示す見取り図である。
【発明を実施するための形態】
【００１１】
睡眠の妨げにならない位置かつ目が届く範囲に貼る。
図２の様に、枕元のすぐ横に １ 問題シートを壁に貼り、２ 回答シートは１ 問題シートを見た場合に視界に入らないが、少し視線を外すと見える位置に貼る。
【実施例】
【００１２】
以下、本発明の暗記学習用具を構成する１ 問題シートと２ 回答シートについて説明する。
図１は１ 問題シート及び２ 回答シートの構造が記載された概要図である。
図１において、１ 問題シート及び２ 回答シートは、それぞれ３ 暗闇で光る塗料で記載された暗記カードを、５ 磁石に付くシート表面に貼り付けて使用する。
４ 磁石が付いている暗記カードの裏面の機能により、５ 磁石に付くシート表面上で簡単に取り付け、取り外しが出来る。
【産業上の利用可能性】
【００１３】
記憶の定着に有効な、睡眠前の暗記学習に効果が期待される。
【符号の説明】
【００１４】
１    問題シート
２    回答シート
３    暗闇で光る塗料で記載された暗記カード
４    磁石が付いている暗記カードの裏面
５    磁石に付くシート表面
【図１】
2013228496.tif 000003
【図２】
2013228496.tif 000004
(57)【要約】【課題】本発明の窓を演出するステッカーは、立体的な窓を表現することにより簡単に室内空間をアレンジでき、思い出の場所・一度は行ってみたい場所等の写真・印刷物を活用することにより、あたかもその窓から見える景色として楽しむことで、日常的な空間から異空間に瞬時に入り込めるようになり、その結果、神経伝達物質の分泌作用がより効果的に促進され、ストレスを解消する手段の一つとして大きな役割がある。【解決手段】（イ）窓を表現する場所に私物のポスター・写真等の印刷物を先に貼る。（ロ）立体的にデザインされた窓枠ステッカーの裏側に影や格子がデザインされた透明フィルムシートを予めセットする。（ハ）予め透明フィルムシートがセットされた窓枠ステッカーを印刷物の上から囲むように貼りつける。以上（イ）（ロ）（ハ）の構成により印刷物が窓ガラスから見た景色となり、奥行きのある窓を演出することが出来る。【選択図】なし【特許請求の範囲】
【請求項１】
（1）窓枠、ガラス面全体、外枠等全ての寸法を一定の割合に基づいて独自で算出し、立体的にデザインされた窓枠ステッカー。（2）印刷物が窓ガラスから見た景色となるような奥行き感を表現し、下面にくる印刷物の表面の保護を目的とした透明フィルムシート。上記（1）（2）の構成からなるものを組み合わすことで、思い出の写真や風景・自分好みのポスター等の印刷物を窓から見える実際の景色として演出できることを特徴とするステッカーであり、精神面での癒しの空間によりストレス解消を目的としたものである。
【発明の詳細な説明】
【技術分野】
【０００１】
本発明はインテリア雑貨として使用するだけで、実際に窓があるかのように室内における奥行きのある空間と、現在・未来・過去との時空をアレンジすることが可能なトリックアートとしての窓を演出するステッカーに関するものである。
【背景技術】
【０００２】
従来のインテリア雑貨として使用されているウォールステッカーの概念は、室内を平面的に装飾することを目的としたステッカーであった。
また、従来のウォールステッカーでは、私物のポスターや写真等の印刷物を自在に組み合わせ、時空を演出するステッカーではなく、癒しの効果もうすいものであった。
【発明の概要】
【発明が解決しようとする課題】
【０００３】
本発明は壁面に奥行きのある立体的な窓を表現することにより室内空間を変化させることが可能となり、私物のポスターや写真等の印刷物をあたかもその窓の外に見える景色として演出することができるものである。窓の少ない部屋の壁等に手軽に装着出来るステッカーを貼るだけで室内空間と時空をアレンジでき、インテリア雑貨として活用できる。
【課題を解決するための手段】
【０００４】
上記目的を達成するために
（イ）窓を表現する壁等の場所に私物のポスター等の印刷物を先に貼る。
（ロ）立体的にデザインされた窓枠ステッカーの裏側に透明フィルムシートを予めセットする。
（ハ）印刷物の上から予めセットした窓枠ステッカーを囲むように貼りつける。
以上（イ）（ロ）（ハ）の構成により印刷物が窓ガラスから見た景色となり、奥行きのある窓を演出しようとするものである。
【発明の効果】
【０００５】
本発明により、私物のポスターや写真等の印刷物が窓の外の景色のように見える効果を作り出すことができ、精神面での癒しの空間により、ストレス解消を目的としたものである。思い出の場所・一度は行ってみたい場所等の写真・印刷物を窓から見える景色とする事で、瞬時に日常的な空間から異空間に入り込め、心の中にある悩み等を他人事のように客観的に観られるという大きな効果があり、ストレスを解消する手段の一つとして大きな役割がある。心の安らぎを与えてくれる神経伝達物質のひとつであるセロトニンは、美しい風景や空間による視覚の刺激によっても分泌促進作用があると医学的に言われている。
また、窓の少ない部屋等で取り付けることにより、トリックアートとして窓を表現することができ、特別な工事を必要とせず、手軽に独自の室内装飾空間を楽しむことが可能となる。
【発明を実施するための形態】
【０００６】
インテリア雑貨のひとつとして室内空間を得ようとするとき、透明フィルムシート及び窓枠ステッカーは、奥行き感と立体感を演出する工夫が必要となる。
透明フィルムシートの作用としては、ポスターや写真等の印刷物があたかも窓ガラスを通して見える景色となるような奥行き感を演出し、もうひとつの用途として印刷物の表面を保護する目的がある。
窓枠ステッカーの作用としては、実際に窓があるかのように見える立体感を演出する。また、用途・目的に合わせ粘着力の強度を適合させた粘着剤を窓枠ステッカーに塗布することで何度でも自在に貼りかえることが可能となり、あらゆる場面での演出が可能となる。
ステッカーの大きさは無限であり、窓および格子のデザインにより洋風にも和風にも応用することが出来る。
窓枠及びガラス面全体、外枠等の大きさは全て一定の割合に基づいて独自で算出したものである。
【実施例】
【０００７】
窓を表現する場所に私物のポスター等の印刷物を先に貼る。
立体的にデザインされた窓枠ステッカーの裏側に影や格子がデザインされた透明フィルムシートを予めセットする。
予め透明フィルムシートが裏側にセットされた窓枠ステッカーを印刷物の上から囲むように貼りつける。
窓枠ステッカーは転写シートとセットになっており、貼りつけた後転写シートのみを剥がす。
【産業上の利用可能性】
【０００８】
個人宅、店舗、ディスプレイ等あらゆる室内だけでなく、この技法を用いて外壁にも活用出来る。
(57)【要約】【課題】本発明の目的は、木製および竹製メガネフレームにおいてレンズの良好な取付状態および枠の強度を得ることができる木製および竹製メガネフレームにおけるレンズの固定構造を提供することにある。 【解決手段】本発明の木製および竹製メガネフレームにおけるレンズの固定構造は、レンズ保持用の一対の枠と、両枠の内端間に位置されるブリッジとを少なくとも具えてなる木製および竹製メガネフレームにおいてレンズを固定する構造であって、各枠の少なくとも一部を削ることにより従来より強度が増すことを特徴とする。【選択図】図９
2013228605.tif 000002
【特許請求の範囲】
【請求項１】
レンズやサングラスをリムに嵌めて顔に掛ける為のメガネフレームであって、リムの厚さがレンズの厚さよりも厚いことを特徴とする竹材及び木材からなるメガネフレーム
【発明の詳細な説明】
【技術分野】
【０００１】
本発明は、木製および竹製メガネフレームにおけるレンズの固定構造に関し、特に木製および竹製メガネフレームにおいてレンズの良好な取付状態及び強度面も増すことを得ることができる木製および竹製メガネフレームにおけるレンズの固定構造に関する。
【背景技術】
【０００２】
度付きレンズを用いた視力矯正用のメガネや、紫外線から目を保護するための色彩を施したレンズを用いたサングラス等のメガネとしては、例えば所定の間隔をおいて位置するレンズ保持用の一対の枠、両枠の内側間に位置されるブリッジ、両枠の外側に位置される鎧、各鎧に回動可能に取り付けられるテンプル等を具えるようにメガネフレームを構成し、前記枠によって視力矯正用のレンズやサングラス用のレンズを保持するようにしたメガネが一般に知られている。このような従来のメガネにおいては、メガネフレームとして金属製や樹脂製のものが用いていられるのが主流である。また、近年においては表面に竹材や木材の筋が出現されている外観の木製および竹製メガネフレームが和風的な装飾機能を発揮するものとして注目されている。
【先行技術文献】
【特許文献】
【０００３】
【特許文献１】特開２０００−１４７４４０
【特許文献２】特開２００１−１０８９４４
【発明の概要】
【発明が解決しようとする課題】
【０００４】
度付きレンズを用いた視力矯正用のメガネや、紫外線から目を保護するための色彩を施したレンズを用いたサングラス等のメガネとしては、例えば所定の間隔をおいて位置するレンズ保持用の一対の枠、両枠の内側間に位置されるブリッジ、両枠の外側に位置される鎧、各鎧に回動可能に取り付けられるテンプル等を具えるようにメガネフレームを構成し、前記枠によって視力矯正用のレンズやサングラス用のレンズを保持するようにしたメガネが一般に知られている。このような従来のメガネにおいては、メガネフレームとして金属製や樹脂製のものが用いていられるのが主流である。また、近年においては表面に竹材や木材の筋が出現されている外観の木製および竹製メガネフレームが和風的な装飾機能を発揮するものとして注目されている。
【０００５】
しかしながら、木製および竹製メガネフレームにおける具体的な固定構造については、強度、デザイン面等多々諸問題が多く、木製および竹製メガネフレームにおいてフレームの強度を保ち、且つレンズの良好な取付状態を得ることができる木製および竹製メガネフレームにおけるレンズの固定構造の開発が切望されている。
【０００６】
本発明は上記問題点に着目し、これを解決しようとしたものであり、その目的は、木製および竹製メガネフレームにおいてレンズの良好な取付状態を得ることができる木製および竹製メガネフレームにおけるレンズの固定構造を提供することである。
【課題を解決するための手段】
【０００７】
上記の問題点を解決するために、本発明の木製及び竹製メガネフレームにおけるレンズの固定構造は、レンズ保持用の一対の枠と、両枠の内端間に位置されるブリッジとを少なくとも具えている木製及び竹製メガネフレームにおいてレンズを固定する構造であって、枠の強度を従来より数倍強化することができることを特徴とする。
【発明の効果】
【０００８】
本発明の木製および竹製メガネフレームにおけるレンズの固定構造によれば、従来のように上枠
又は下枠を過度に削ることなく頑丈になり、また含浸等により重くなることもなくなり、枠内に極
めて簡単に取り付けることができ、レンズの良好な取付状態を得ることができる。
【図面の簡単な説明】
【０００９】
【図１】当社の従来方式を表す図である。
【図２】当社の従来方式を表す図である。
【図３】本発明の実施形態を示す横からの断面図である。
【図４】本発明の実施形態を示す横からの断面図である。
【図５】本発明の実施形態を示す横からの断面図である。
【図６】本発明の実施形態を示す横からの断面図である。
【図７】本発明の実施形態を示す横からの断面図である。
【図８】本発明の実施形態を示す横からの断面図である。
【図９】本発明の実施形態を示す横からの断面図である。
【図１０】本発明の実施形態を示す正面図である。
【図１１】本発明の実施形態を示す上面図である。
【発明を実施するための形態】
【００１０】
木製及び竹製メガネフレームにおけるレンズの固定構造は、レンズ保持用の一対の枠と、両枠の内端間に位置されるブリッジとを少なくとも具えている木製及び竹製メガネフレームにおいてレンズを固定する構造であって、枠の強度を従来より数倍強化することができる。
【符号の説明】
【００１１】
１、木および竹枠
２、水糸
３、レンズ
４、リムクッション
５a、木および竹枠の上枠部
５b、木および竹枠の下枠部
６、削り落とす部分
【図１】
2013228605.tif 000003
【図２】
2013228605.tif 000004
【図３】
2013228605.tif 000005
【図４】
2013228605.tif 000006
【図５】
2013228605.tif 000007
【図６】
2013228605.tif 000008
【図７】
2013228605.tif 000009
【図８】
2013228605.tif 000010
【図９】
2013228605.tif 000011
【図１０】
2013228605.tif 000012
【図１１】
2013228605.tif 000013
(57)【要約】【課題】本発明はパソコン、ゲーム機のディスプレーである。一台のディスプレーでは情報検索をし続けると表示操作が頻繁になる問題があります。スペースを多く取らず、３台以上連結し、かつ折りたたむことのできるコンパクトなディスプレーを提供する。【手段】ディスプレーが屏風のような折り込みが出来るために、個々のディスプレー体にヒンジを設ける。【選択図】図１
2013228975.tif 000002
【特許請求の範囲】
【請求項１】
携帯パソコンのディスプレー体を３台以上有しており、それぞれが連結しかつ折りたたむことのできる、携帯用パソコン。
【請求項２】
パソコンやゲーム機用のディスプレー体を，３台以上有しており、それぞれが連結しかつ折りたたむことのできるディスプレー。
【請求項３】
ディスプレー体の左右の縁部にヒンジが設けられている、ディスプレー体を有している、請求項１の折りたたむことのできる携帯用パソコン。
【請求項４】
ディスプレー体の左右の縁部に、ヒンジが設けられているディスプレー体を有している、請求項２の折りたたむことのできるディスプレー。
【発明の詳細な説明】
【技術分野】
【０００１】本発明はパソコン及びゲーム機のディスプレー体を３台以上連結して有し、折りたたむことができるディスプレーに関するものである。
【背景技術】
【０００２】従来、パソコンディスプレーを複数設けるときディスプレーはお互いに連結せず、並べて置くか、壁状に並べて設置するかであり、たたむことが出来るようには成されていません。又ディスプレーの画面の中で画面分割を行い、多画面表示がなされている画面構成が現状である。
【発明の開示】
【発明が解決しようとする課題】
【０００３】  ディスプレー体１台で画面に多くの情報を表示するとき、画面上にランダムに表示するか、重ねて表示するかの方法で、情報の表示をしています。
この方法で検索し続けると、前の情報が隠れてしまいがちになり、情報の表示操作が頻繁になります。これを避けるためには何台ものディスプレーの設置が必要で、多くのスペースが必要となります。又携帯用パソコンには何台ものディスプレー体を接続状態で設けることはなされていません。
本発明は以上の問題点を解決するために、多くのディスプレー体の連結がなされた、折りたたみ式ディスプレーである。
【課題を解決するための手段】
【０００４】上記の目的を達成するため、軽くて薄いディスプ体を用います。この条件を満たすものの一つとして有機ＥＬディスディスプレーがあります。これを用いると何台ものディスプレー体を連結しても連結部分の負担が軽く  なり連結が可能になります。連結部分の折りたたみの手法の一つとして、  ヒンジを用います。ディスプレー体を屏風の様に折りたたむため、ディス  プレーの体縁部に設けたヒンジの回転方向は同一方向の回転となります。
本発明は以上の構成よりなる、折りたたみ式ディスプレーである。
【発明の効果】
【０００５】  本発明をパソコン用のディスプレーとして使用すると設置方法として、いろいろなことが出来ます。横長のディスプレー連結を用いた場合は長さが固定されることなく伸縮出来ます。また連結ディスプレーで円陣が組めるのでディスプレー設置の形状の幅が広がります。携帯パンコンに使用するとディスプレー体がコンパクトにたたみ込まれた書籍の様なパソコンになります。
【発明の実施すための最良の形態】
【０００６】  以下、本発明の実施の形態を説明する。
（イ）有機ＥＬディスプレー体（１）とヒンジＡ（２）ヒンジＢ（３）を設ける。
本発明は以上の構成よりなる。
本発明を使用する場合は、たたみこまれたディスプレーを伸ばして使いますが、様々な伸ばし方で使えます。一直線に伸ばす、円弧状に伸ばす、多角形状に囲みこむ。
【図面の簡単な説明】
【０００７】
【図１】本発明の斜視図
【図２】本発明の半開きの斜視図
【図３】本発明の、たたみ込んだ状態の斜視図
【図４】本発明の裏面部の斜視図
【符号の説明】
【０００８】１  ディスプレー体
２  ヒンジＡ
３  ヒンジＢ
【図１】
2013228975.tif 000003
【図２】
2013228975.tif 000004
【図３】
2013228975.tif 000005
【図４】
2013228975.tif 000006